(57)【要約】      （修正有）【課題】カードを効率よく収納出来るカード入れを提供する。【解決手段】１枚のシート１と、そのシートに形成され、シートのほぼ同一の平面内にカードが挿入される複数のスリット対を有したカード入れであって、各スリット対は、カードが挿入される方向を上下方向とした場合に、概略左右対称の逆さハの字状となる一対の縦方向切欠き４と、縦方向切欠きの上端から連続して横方向外方に切欠いた横方向切欠き５を有し、複数のスリット対は、互いに交差しないように縦方向、または縦方向内側側にずらして配置される。【選択図】図１
2015112748.tif 000002
【特許請求の範囲】
【請求項１】
１枚のシートと、そのシートに形成され、シートのほぼ同一の平面内にカードが挿入される複数のスリット対を有したカード入れであって、各スリット対は、カードが挿入される方向を上下方向とした場合に、概略左右対称の逆さハの字状となる一対の縦方向切欠きと、前記縦方向切欠きの上端から連続して横方向外方に切欠いた横方向切欠きを有し、複数のスリット対は、互いに交差しないように縦方向、または縦方向内側側にずらして配置されたことを特徴とするカード入れ。
【請求項２】
前記横方向切欠きの端部をシート下向に切下げて、前記縦方向切欠きと前記横方向切欠き近傍に舌片を設けたことを特徴とする請求項１に記載のカード入れ。
【請求項３】
前記縦方向切欠きと前記横方向切欠きの近傍に折り目を設けて、前記縦方向切欠きと前記横方向切欠きの近傍を舌状に折り返し可能とした請求項１または２記載のカード入れ。
【請求項４】
前記シートの１辺に挿入用シートを連結したたことを特徴とする請求項１ないし３のいずれか記載のカード入れ。
【発明の詳細な説明】
【技術分野】
【０００１】
本発明は、カード入れに関する。
【背景技術】
【０００２】
従来から、シートにカードを挿入するカード入れは周知である。
【先行技術文献】
【特許文献】
【０００３】
【特許文献１】特開２０００−４８１４３
【０００４】
【特許文献２】実開平７−２１３８４
【発明の概要】
【発明が解決しようとする課題】
【０００５】
特開２０００−４８１４３は、カード挿入面にスリットをずらすように設けてカードをずらして収納出来るが、スリットを斜め方向にずらしているために、本体の縦方向、横方向共に大きさが広がるので、結果として大きめな収納品となる。
【０００６】
実開平７−２１３８４はカード挿入のためのスリットが並んでいるので、カードをたくさん収納しようとすると、収納部が大きくなる。
【０００７】
本発明は上記問題を解決して、カードを効率よく収納出来るカード入れを提供することを目的とするものである。
【０００８】
上記目的を達成するために、本発明のカード入れは、１枚のシートと、そのシートに形成され、シートのほぼ同一の平面内にカードが挿入される複数のスリット対を有したカード入れであって、各スリット対は、カードが挿入される方向を上下方向とした場合に、概略左右対称の逆さハの字状となる一対の縦方向切欠きと、前記縦方向切欠きの上端から連続して横方向外方に切欠いた横方向切欠きを有し、互いに交差しないように縦方向、または縦方向内側側にずらして配置された複数のスリット対を有している。
【発明の効果】
【０００９】
上記により、本発明は以下のような効果が得られる。
１． １枚のシートに、スリット対を複数個設けている構造なので、本発明自身がかさばることが無く、結果として、軽量で薄くなるものを提供出来る。
２． カードを縦方向にずらして収納出来るので、複数枚のカードを効率よく小さい面積に収納出来る。
【図面の簡単な説明】
【００１０】
【図１】本発明の一実施例のカード入れの正面やや上方からの斜視図である。
【図２】本発明のカード挿入方向を示した説明図である。
【図３】本発明の実施例１のカード挿入時の正面やや上方からの斜視図である。
【図４】本発明の実施例２のカード入れの斜視図である。
【図５】本発明の実施例３のカード入れの斜視図である。
【図６】本発明の実施例３のカード入れの変形例の斜視図である。
【図７】本発明の実施例４のカード入れの斜視図である。
【図８】本発明の実施例５のカード入れの斜視図である。
【図９】本発明の実施例６のカード入れの斜視図である。
【発明を実施するための形態】
【００１１】
以下、本発明の実施の形態を図に基づいて説明する。
（実施例１）
【００１２】
本発明の実施例１のカード入れは、図１に示すように、シート１とそのシート１に形成された複数のスリット３、３対を有している。各スリット対３、３は、シート１と概略同一平面内にカードが挿入されるように構成されている。ここで概略同一平面内とは、数学的な同一平面を意味するものではなく、カード１３の厚みによる違いを許容するものである。また各スリット３、３対は、各々ほぼ左右対称に配置され、且つ、その一部が概略逆さハの字状となるように配置されている。また、スリット３、３対は、複数上下方向に並んで配置されている。一組のスリット３、３対を構成する各々のスリット３は、その一部に縦方向切欠き４を有しており、この縦方向切欠き４が左右対称の一組となって概略逆さハの字状を形成している。各縦方向切欠き４の上端には上方向に連続して切り欠いた切上げ部１２が設けられ、この切上げ部１２の上端には連続して横方向外側に切り欠いた横方向切欠き５が設けられ、更に横方向切欠き５の外側端部から下方向に切り下げられた切下げ部８が設けられている。切上げ部１２、横方向切欠き５及び切下げ部８とで、舌片９が形成されている。縦方向切欠き４の下方端部６及び切下げ部８の端となる上方端部７には、それぞれ破損防止の為に円弧状の返しが設けられている。また、図２のように、舌片９の根本には折り目１０が設けられ、舌片９を折り曲げると、隙間１９が出来、カード１３が入れやすくなる。
【００１３】
左右対称の一対のスリット３、３の一対の上方端部７、７間の距離は、カード１３が挿入できるように、挿入されるカード１３幅、すなわち挿入方向と直行するカード１３幅よりやや広い巾になるように構成されている。図３に示すように、スリット３下部の端部６から横方向切欠き５までの高さはカード１３の高さを越えないようにする。また、横方向切欠き５の横方向の長さを、下部のスリット対３、３より内側に長くすることで、縦方向切欠き４がより内側に配される。
【００１４】
本実施例のカード入れは、１枚のシートに、スリット対を複数個設けている構造なので、本発明自身がかさばることが無く、結果として、軽量で薄くなる。またカード１３を縦方向にずらして収納出来るので、複数枚のカード１３を効率よく小さい面積に収納出来る。また、複数のカード１３が上下方向に完全に重なることはないので、出し入れがしやすい。
（実施例２）
【００１５】
図４には、実施例２として、左右見開きの構造を有するカード入れを示している。このカード入れは、２つのシート１を横辺１４を介して、前記シート１の２枚分よりやや大きい巾を持つ背面シート１５の両側に装着し、横辺１４を折り返して、シート１と背面シート１５の下辺２が閉塞されているので、２枚のシート１と背面シート１１の間に、袋状に近い収納部１７が形成される。収納部１７には、カード１３より大きいシート状のもの、例えばお札や領収書などを収納出来る。また、背面シート１５に中央折り返し用折り目１６を設けてある。こうすることで２つ折にすることが可能になる。
【００１６】
シート１と背面シート１５の連結は横辺１４を介すだけでなく、上辺１１や下辺２を介すことも可能であるし、装着するシートは１枚でも良い。その場合、背面シート１５の大きさはシート１の２枚分の巾に囚われない。また、背面シート１５のどの辺に装着しても良い。
（実施例３）
【００１７】
図５、図６に示すように、実施例３のカード入れは、シート１の上辺１１または横辺１４に、概ねカード１３大の挿入片１８を連結させ、上辺１１または横片１４の位置で挿入片１８が、折り返し可能としたものである。折り返し可能な挿入片１８があるため、挿入片１８を財布等に差し込むことが可能になる。
（実施例４）
【００１８】
図７で示す実施例４のカード入れは、一対の縦方向切り欠き４、４がほぼ平行であり、複数のスリット対３、３の縦方向切り欠き４が順次内側に且つ順次上方向にずらして配置されたカード入れである。この実施例のカード入れでは、相対的に上部にあるスリット３の横方向切欠き５の巾が下部の横方向切欠き５の巾より内側に大きくすれば、縦方向切欠き５を横辺１４にほぼ平行に作成することも可能になる。このようなスリット構造を持つカード入れでも、本発明の効果を有する。本明細書では、「概略逆さハの字状」というのは、このような縦方向切欠き５が平行な場合をも含むものとする。
（実施例５）
【００１９】
図８に示すカード入れは、複数のシート１を横辺１４で連結することで、実施例１で説明したカード入れを複数連結したものである。
（実施例６）
【００２０】
図９に示すカード入れは、縦方向切り欠き４の上端から横方向切欠き５が外側横方向へそのまま伸びて、折り目１０によって形成される舌片９が三角形状になるように設けたものである。舌片９の形状は、種々変更可能である。
【００２１】
以上、本発明は、実施例に基づいて説明したが、本発明はこれらの実施例に限定されるものではなく、例えば、図１のシートをそのまま財布のポケットなどに入れて使用することも出来る。シートの大きさや材質も、保持するカード１３に応じて最適なものを選択すれば良い。要は本発明の趣旨を逸脱しない限り、どのようなものでも良い。
【符号の説明】
【００２２】
１  シート
２  下辺
３  スリット
４  縦方向切欠き
５  横方向切欠き
６  下方端部
７  上方端部
８  切下げ部
９  舌片
１０  折り目
１１  上辺
１２  切上げ部
１３  カード
１４  横辺
１５  背面シート
１６  中央折り返し用折り目
１７  収納部      
１８ 挿入片
１９  隙間
【図４】
2015112748.tif 000003
【図６】
2015112748.tif 000004
【図８】
2015112748.tif 000005
【図１】
2015112748.tif 000006
【図２】
2015112748.tif 000007
【図３】
2015112748.tif 000008
【図５】
2015112748.tif 000009
【図７】
2015112748.tif 000010
【図９】
2015112748.tif 000011